(57)【要約】【課題】２つのカムを用いたプッシュスイッチ機構を備えたものであっても、操作部材の押し込み操作がスムーズに行えるようにする。【解決手段】プッシュスイッチ機構２０のカム機構部２１に設けられるカムを、点消火ボタン１５に連結される前カム２５と、弁軸７５を前後移動させる後カム２６とから構成すると共に、カム機構部２１に、前カム２５を点消火ボタン１５側へ付勢する前コイルバネ７０と、後カム２６を点消火ボタン１５側へ付勢する後コイルバネ７１とをそれぞれ設けて、前カム２５及び後カム２６の外面に、前後方向に沿ったガイド突起５８，６７を複数突設した。【選択図】図３
2018128240.tif 000002
【特許請求の範囲】
【請求項１】
バーナを備えた器体内に、前側の操作部材と、前記バーナへのガス流路を開閉する弁軸を備えた後側の流路開閉部と、前記操作部材と前記流路開閉部との間で前後移動可能なカムを備え、前記操作部材の押し込み操作の繰り返しにより前記カムの前後位置を変更して、前記弁軸を、前記ガス流路を閉塞する消火位置と前記ガス流路を開放する燃焼位置とに前後移動させるカム機構部と、を含んでなり、
前記カムを、前記操作部材に連結される前側の第１カムと、前記弁軸を前後移動させる後側の第２カムとから構成すると共に、前記カム機構部に、前記第１カムを前記操作部材側に付勢する第１付勢部材と、前記第２カムを前記操作部材側へ付勢する第２付勢部材とをそれぞれ設けて、前記カム機構部を、前記操作部材が突出するケース内に収容したガス調理器具であって、
各前記カムの外面及び／又は前記ケースの内面に、前後方向に沿ったガイド突起が複数突設されていることを特徴とするガス調理器具。
【請求項２】
前記ガイド突起は、各前記カムの外面において、前記ケースの内面に対する異なる摺動面にそれぞれ設けられていることを特徴とする請求項１に記載のガス調理器具。
【発明の詳細な説明】
【技術分野】
【０００１】
本発明は、コンロ等のガス調理器具に関する。
【背景技術】
【０００２】
コンロ等のガス調理器具においては、ガスバーナを被調理物の加熱手段として備えると共に、器体の前面に設けた点消火ボタン（操作部材）の押し操作によってガスバーナの点消火動作が可能となるプッシュスイッチ機構を設けたものが知られている。このプッシュスイッチ機構は、例えば特許文献１に開示されるように、点消火ボタンの押し操作の繰り返しにより、ガス流路を開閉する弁体を備えた弁軸を、ハートカム機構を介して軸方向に進退運動させるものである。特に特許文献１のコンロでは、ハートカム機構として、係止ピンが係止するカム溝を備えた前後２つのカム（スライダ及び中継スライダ）をケース内に収容してコイルバネでそれぞれ点消火ボタン側へ付勢して、燃焼位置では、前側に保持されるスライダによって点消火ボタンを操作パネルからの突出位置に保持する一方、中継スライダによって弁軸を開弁位置に保持するようにしている。
【先行技術文献】
【特許文献】
【０００３】
【特許文献１】特開２０１７−３１６４号公報
【発明の概要】
【発明が解決しようとする課題】
【０００４】
上記従来のコンロでは、点消火ボタンに加わる押し込み力を、２つのカムを介して弁軸に伝達してガス流路を開閉する構造であるため、点消火ボタンに斜め方向から押し込み力が加わる等して前後方向に沿った力がカムに伝わらない場合が生じる。この場合、各カムがケース内でこじれたりして摺動抵抗が高くなり、スムーズに押し込み操作が行えず使用感が悪くなるおそれがある。
【０００５】
そこで、本発明は、２つのカムを用いたプッシュスイッチ機構を備えたものであっても、操作部材の押し込み操作がスムーズに行え、良好な使用感を維持できるガス調理器具を提供することを目的としたものである。
【課題を解決するための手段】
【０００６】
上記目的を達成するために、請求項１に記載の発明は、バーナを備えた器体内に、前側の操作部材と、バーナへのガス流路を開閉する弁軸を備えた後側の流路開閉部と、操作部材と流路開閉部との間で前後移動可能なカムを備え、操作部材の押し込み操作の繰り返しによりカムの前後位置を変更して、弁軸を、ガス流路を閉塞する消火位置とガス流路を開放する燃焼位置とに前後移動させるカム機構部と、を含んでなり、カムを、操作部材に連結される前側の第１カムと、弁軸を前後移動させる後側の第２カムとから構成すると共に、カム機構部に、第１カムを操作部材側に付勢する第１付勢部材と、第２カムを操作部材側へ付勢する第２付勢部材とをそれぞれ設けて、カム機構部を、操作部材が突出するケース内に収容したガス調理器具であって、
各カムの外面及び／又はケースの内面に、前後方向に沿ったガイド突起が複数突設されていることを特徴とする。
請求項２に記載の発明は、請求項１の構成において、ガイド突起は、各カムの外面において、ケースの内面に対する異なる摺動面にそれぞれ設けられていることを特徴とする。
【発明の効果】
【０００７】
請求項１に記載の発明によれば、各カムの外面及び／又はケースの内面に、前後方向に沿ったガイド突起を複数突設したことで、操作部材に斜め方向から押し込み力が加わる等して前後方向に沿った力が第１、第２カムに伝わらない場合が生じても、各カムがケース内でこじれたりすることがない。よって、２つのカムを用いたプッシュスイッチ機構を備えたものであっても、操作部材の押し込み操作がスムーズに行え、良好な使用感を維持できる。
請求項２に記載の発明によれば、請求項１の効果に加えて、ガイド突起を、各カムの外面において、ケースの内面に対する異なる摺動面にそれぞれ設けているので、ガイド突起によるガイド作用が効果的に得られる。
【図面の簡単な説明】
【０００８】
【図１】ビルトインコンロの斜視図である。
【図２】プッシュスイッチ機構の斜視図である。
【図３】プッシュスイッチ機構の分解斜視図である。
【図４】（Ａ）は前カムの背面図、（Ｂ）は後カムの背面図である。
【図５】消火位置のプッシュスイッチ機構の説明図で、（Ａ）が側面、（Ｂ）が底面をそれぞれ示す。
【図６】点火押切位置のプッシュスイッチ機構の説明図で、（Ａ）が側面、（Ｂ）が底面をそれぞれ示す。
【図７】燃焼位置のプッシュスイッチ機構の説明図で、（Ａ）が側面、（Ｂ）が底面をそれぞれ示す。
【図８】消火押切位置のプッシュスイッチ機構の説明図で、（Ａ）が側面、（Ｂ）が底面をそれぞれ示す。
【発明を実施するための形態】
【０００９】
以下、本発明の実施の形態を図面に基づいて説明する。
図１は、ガス調理器具の一例であるビルトインコンロの斜視図である。このビルトインコンロ１は、平面視が横長矩形状の器体２内に、前側（図１の左下側）で左右に２つ、その間で後側に１つの３つのコンロ部３，３・・と、前側の２つのコンロ部３，３の間に位置するグリル部４とを備えてなる。
器体２は、前面及び上面を開口した本体５と、本体５の前面に取り付けられる前枠６と、前枠６の下側に取り付けられるフロントパネル７と、本体５の上面の開口に取り付けられる天板８とからなる。器体２の上面の開口には、天板８の下方でキッチンのキャビネットに係止するフランジ９が周設されている。各コンロ部３は、天板８から上方に露出して上面にバーナヘッド１１を載置したコンロバーナ１０と、その周囲に位置する五徳１２とを備えている。１３は、グリル部４の排気キャップである。
【００１０】
フロントパネル７の中央には、グリル扉１４が設けられ、その左右には、コンロバーナ１０や図示しないグリルバーナを点消火操作するための点消火ボタン１５，１５・・と、タイマー調理等の設定を行うための開閉式の操作パネル１６とが設けられている。点消火ボタン１５は、器体２内に収容したプッシュスイッチ機構の前端に備えられて、点消火ボタン１５の押し操作の繰り返しにより、各バーナの点消火動作が可能となっている。以下、このプッシュスイッチ機構について詳述する。
【００１１】
図２は、プッシュスイッチ機構２０の斜視図、図３は同分解斜視図である。このプッシュスイッチ機構２０は、カム機構部２１と、カム機構部２１の後方に取り付けられる流路開閉部２２とを備えてなる。流路開閉部２２の上流側には、器体２内の図示しないガスパイプが接続され、下流側には、ガス量調整部２３が接続されて、カム機構部２１の前端に、点消火ボタン１５が設けられている。なお、このプッシュスイッチ機構２０は、器体２内ではカム機構部２１が下側となる向きで前後方向に設置されるが、カム機構部２１の説明の便宜上、図２，３ではカム機構部２１を上側にして示している。
【００１２】
まず、カム機構部２１は、メカボックス２４と、メカボックス２４内に収容された前カム２５及び後カム２６とを備える。メカボックス２４は、横断面がＵ字状で下面及び前面を開口させたボックス本体２７と、ボックス本体２７の下面を閉塞するカバー２８とからなり、ボックス本体２７の左右の側面には、基板スイッチ２９とイグナイタスイッチ３０とが、レバー２９ａ，３０ａをそれぞれ下側且つ後向きとした姿勢でネジ止めされている。ボックス本体２７の前後方向中央には、透孔３２を有する仕切板３１が形成され、その後側の左右には、一対の切欠窓３３，３３が形成されて、左右の側面下部には、複数の係止突起３４，３４・・が前後方向へ所定間隔をおいて突設されている。ボックス本体２７の後端は、左右に張り出す閉塞板３５で閉塞されて、ボックス本体２７の内部に対向する部位には、透孔３６が形成され、その周囲にリング状突起３７が形成されている。閉塞板３５の下部後側には、後ピン受け部３８が突設されて、後ピン受け部３８には、倒コ字状の後レバーピン３９の後端が、抑えバネ４０により保持されている。よって、後レバーピン３９は、後端を中心に左右へ揺動可能となる。ボックス本体２７の前端内側には、左右にストッパ４１，４１が設けられている。
【００１３】
カバー２８は、ボックス本体２７の下面から左右の側面下部に掛けて覆う横断面倒コ字状で、左右の折り返し部には、係止突起３４，３４・・が係止する角孔４２，４２・・が形成されて、前端中央には、前ピン受け部４３が突設されている。この前ピン受け部４３には、倒コ字状の前レバーピン４４の前端が、抑えバネ４５により保持されている。よって、前レバーピン４４は、前端を中心に左右へ揺動可能となる。また、カバー２８の下面には、後レバーピン３９の前端が挿入し、後端を中心とした円弧状の後長孔４６と、前レバーピン４４の後端が挿入し、前端を中心とした円弧状の前長孔４７とが左右方向に形成されている。
【００１４】
前カム２５は、上部外形がボックス本体２７に嵌合する横断面Ｕ字状のブロック体で、前面には、点消火ボタン１５が連結される連結ロッド５０が、回転可能且つ前向きに連結され、後面には、後カム２６を押圧する前側ロッド５１が後向きに突設されている。前カム２５の前側の左右両側面は二面幅に形成されて、その後部左右には、ボックス本体２７のストッパ４１，４１に後方から係止する係止面５２，５２が形成されている。
また、前カム２５の下部には、前カム溝５４を形成した板状のカム板部５３が後向きに形成されて、カム板部５３の前側には、下面及び前面が開放する凹部５５が形成されている。この前カム溝５４は、図５にも示すように、尖端を後側に向けて左側が右側よりも前方へ長くなる平面視ハート形状の前循環部５６と、前循環部５６の尖端から後方へ延びる前直線部５７とからなる有底溝となっている。この前カム溝５４に、前長孔４７を貫通した前レバーピン４４の後端が挿入係止して、後述するように前カム２５の進退動に伴い前カム溝５４内を移動するようになっている。
さらに、前カム２５の外面には、図４（Ａ）に示すように、Ｕ字状の上面と、カム板部５３に沿った左右の側面と下面とに、複数のガイド突起５８，５８・・が前後方向に突設されている。
【００１５】
後カム２６も、上部外形がボックス本体２７に嵌合する横断面Ｕ字状のブロック体で、後面には、図４，５に示すように、流路開閉部２２の弁軸７５を押圧する後側ロッド６０が後向きに突設されている。また、左右の両側面には、左アーム６１と右アーム６２とがそれぞれ突設されている。左アーム６１は、後カム２６の後退に伴って基板スイッチ２９のレバー２９ａを、右アーム６２は、後カム２６の後退に伴ってイグナイタスイッチ３０のレバー３０ａをそれぞれ押し込むもので、ここでは左アーム６１の方が右アーム６２よりも後方へ長く形成されて、基板スイッチ２９をＯＮさせるタイミングをイグナイタスイッチ３０をＯＮさせるタイミングよりも早く設定している。
【００１６】
さらに、後カム２６の下部には、前カム２５のカム板部５３が進入可能な逃げ凹部６３が前後方向に形成されており、逃げ凹部６３の底面に、後カム溝６４が形成されている。この後カム溝６４は、尖端を後側に向けて右側が左側よりも前方へ長くなる平面視ハート形状の後循環部６５と、後循環部６５の尖端から後方へ延びる後直線部６６とからなる有底溝となっている。この後カム溝６４に、後長孔４６を貫通した後レバーピン３９の前端が挿入係止して、後述するように後カム２６の進退動に伴い後カム溝６４内を移動するようになっている。
そして、後カム２６の外面にも、図４（Ｂ）に示すように、Ｕ字状の上面と、左右アーム６１，６２を除く左右の側面とに、複数のガイド突起６７，６７・・が前後方向に突設されている。
【００１７】
ここでは前カム２５が、仕切板３１の前側でボックス本体２７に収容されて、前カム２５と仕切板３１との間には、前カム２５の前側ロッド５１が挿入する前コイルバネ７０が設けられる。よって、前カム２５は、係止面５２，５２がボックス本体２７のストッパ４１，４１に当接する前方位置と、カム板部５３を除く後面が仕切板３１に当接する後方位置との間で前後移動可能となる。
また、後カム２６は、仕切板３１の後側でボックス本体２７に収容されて、後カム２６とボックス本体２７の閉塞板３５との間には、後カム２６の後側ロッド６０が挿入する後コイルバネ７１が設けられる。後コイルバネ７１は、閉塞板３５の前面でリング状突起３７に後端が嵌合して保持される。よって、後カム２６は、前面が仕切板３１に当接する前方位置と、後側ロッド６０が弁軸７５を押し込んで後面がリング状突起３７に近接する後方位置との間で前後移動可能となる。
【００１８】
この状態でカバー２８をボックス本体２７に被せて下面を閉塞し、前レバーピン４４の後端を前長孔４７を介して前カム２５の前カム溝５４に係止させ、後レバーピン３９の前端を後長孔４６を介して後カム２６の後カム溝６４に係止させる。前カム２５及び後カム２６は、前コイルバネ７０と後コイルバネ７１とによってそれぞれ前方位置へ付勢されるが、後述するように、前レバーピン４４による前カム溝５４への係止位置と、後レバーピン３９による後カム溝６４への係止位置とによってそれぞれメカボックス２４内で前後位置を変更することになる。このとき前カム２５では、メカボックス２４の内面に対して異なる摺動面となる上下面及び左右の側面に設けられたガイド突起５８，５８・・が、メカボックス２４の内面に当接する。後カム２６も、メカボックス２４の内面に対して異なる摺動面となる上面及び左右の側面に設けられたガイド突起６７，６７・・が、メカボックス２４の内面に当接する。
後カム２６の左右アーム６１，６２は、ボックス本体２７の切欠窓３３，３３を介してそれぞれ左右外方へ突出して、後カム２６の進退動に伴い、基板スイッチ２９及びイグナイタスイッチ３０をＯＮ／ＯＦＦさせることになる。
【００１９】
流路開閉部２２は、下側にガス入口７２が、上側にガス出口７３を有して内部にガス流路が形成される筒状体で、後端には、ガス流路の上流側を開閉するマグネット電磁弁７４が設けられて、ガス流路内には、ガス流路の下流側を開閉するメイン弁を備えた弁軸７５が進退動可能に収容されている。但し、弁軸７５は、前方へ閉弁付勢されるマグネット電磁弁７４によって、常態ではメイン弁を閉弁する前進位置に付勢されている。流路開閉部２２の前端には、弁軸７５が突出する取付フランジ７６が延設されて、ボックス本体２７の閉塞板３５に取付フランジ７６をネジ止めすることで、閉塞板３５の透孔３６と取付フランジ７６の開口とが同軸で連通して、弁軸７５がボックス本体２７内に突出可能となっている。７７は、弁軸７５の貫通部分で閉塞板３５と取付フランジ７６との間をシールするパッキンである。
【００２０】
ガス量調整部２３は、流路開閉部２２のガス出口７３に接続されて流路開閉部２２と平行に前後方向へ延びる筒状体で、内部には、ガス出口７３と連通するガス調整流路と、その下流側でバーナへ燃料ガスを供給する図示しないガスパイプが接続される接続口（図示略）とが形成される。ガス調整流路内には、軸方向に進退動することでガス調整流路の開口面積を変更するニードル弁７８が設けられている。
【００２１】
点消火ボタン１５は、正面視が円形状で、前カム２５の連結ロッド５０に外装される中間筒８０の前端へ一体に連結されている。中間筒８０の後端には、係合スリーブ８２が、中間筒８０の外周に設けた突条８１との係合により、回転方向で一体に外装されている。
図２において、８３は、フロントパネル７の裏側に固定された保持枠、８４は、点消火ボタン１５の外側で保持枠８３に同軸で回転可能に保持される調整リングである。この調整リング８４の外周には、ガス量調整部２３のニードル弁７８の下側で後方へ延びて、ニードル弁７８から放射方向に突設した図示しないピンが係合する螺旋状の溝８６を備えた連係片８５が一体に設けられている。この調整リング８４は、後述する燃焼位置で前進した係合スリーブ８２が係合することで、点消火ボタン１５の回転操作に伴い、係合スリーブ８２を介して回転するもので、この回転により、連係片８５を偏心運動させて溝８６内でピンを相対移動させ、ニードル弁７８を軸方向へ前後移動させることができる。
【００２２】
以上の如く構成されたビルトインコンロ１のプッシュスイッチ機構２０において、点火から消火に至る動作を、図５〜図８に基づいて説明する。なお、各図（Ａ）では、上下の向きは図２，３と逆になっており、各図（Ｂ）では、底面を示すと共に、カバー２８を省略して前長孔４７及び後長孔４６のみを仮想線で示している。
まず、点消火ボタン１５を操作しない状態では、図５に示すように、前カム２５は、前レバーピン４４の後端が前長孔４７を介して前カム溝５４の前循環部５６の前側中央に係止することで、前コイルバネ７０の付勢に抗して前方位置よりやや後方（初期位置）にある。後カム２６は、後コイルバネ７１の付勢により、仕切板３１に当接する前方位置にあり、後レバーピン３９の前端が後長孔４６を介して後カム溝６４の後直線部６６内に位置している。
【００２３】
この状態で、前カム２５と前後動が一体の点消火ボタン１５は、前面が器体２の前面（ここではフロントパネル７の前面で、ラインＬで示す。）よりやや突出してラインＬに沿った位置にある。ここでは前カム２５のカム板部５３が仕切板３１より後方へ突出しているが、後カム２６には逃げ凹部６３が形成されているため、後カム２６とは干渉せず、カム板部５３は逃げ凹部６３の底面に重合している。
また、この状態では、後カム２６の後側ロッド６０は弁軸７５から前方へ離間しているので、流路開閉部２２の弁軸７５は前進位置にあってメイン弁及びマグネット電磁弁７４は閉弁状態にある（消火位置）。また、後カム２６の左右アーム６１，６２も基板スイッチ２９及びイグナイタスイッチ３０の各レバー２９ａ，３０ａから前方へ離間している。
【００２４】
ここから点消火ボタン１５を押し込むと、図６に示すように、後退した前カム２５の前側ロッド５１が仕切板３１の透孔３２を貫通して後カム２６に当接し、後カム２６を後コイルバネ７１の付勢に抗して後退させる。すると、後退した後カム２６の後側ロッド６０が弁軸７５に当接して弁軸７５を後退させて、後退した弁軸７５がマグネット電磁弁７４を強制的に開弁させた状態で押し込みが規制される（点火押切位置）。このとき、前レバーピン４４の後端は前循環部５６内を移動してその左側前端に位置し、後レバーピン３９の前端は後循環部６５内を移動してその右側前端に位置する。なお、前カム溝５４及び後カム溝６４の底部には、前レバーピン４４及び後レバーピン３９の端部の移動方向を図６（Ｂ）での右回転方向に規制する段部が形成されていると共に、前後レバーピン４４，３９は抑えバネ４０，４５によって各カム溝５４，６４の底部側へ押し付けられているので、各カム溝５４，６４から脱却することなく一方向のみにガイドされる。
【００２５】
また、前カム２５が後退する際、後方へ突出するカム板部５３は、後カム溝６４の逃げ凹部６３の底面上を摺接するので、前カム２５の後退がカム板部５３を介して後カム２６の逃げ凹部６３にガイドされ、スムーズに移動できる。また、カム板部５３が後カム溝６４と干渉することはない。
さらに、前カム２５及び後カム２６の外面には、前後方向にガイド突起５８，６７が形成されているので、ガイド突起５８，６７がメカボックス２４の内面を摺動することで、前カム２５及び後カム２６の前後方向の姿勢が維持される。よって、前カム２５及び後カム２６は、メカボックス２４内でこじれたりすることなくスムーズに後退できる。
【００２６】
この点火押切位置では、マグネット電磁弁７４と共にメイン弁も開弁して流路開閉部２２のガス流路内に燃料ガスが供給される。よって、ガス量調整部２３を介してコンロバーナ１０若しくはグリルバーナへ燃料ガスが供給される。これと同時に、後カム２６の左アーム６１が基板スイッチ２９のレバー２９ａを、右アーム６２がイグナイタスイッチ３０のレバー３０ａをそれぞれ順番に押し込んで両スイッチ２９，３０をＯＮさせるため、制御回路基板からマグネット電磁弁７４に通電されると共にイグナイタが作動して点火動作がなされる。
【００２７】
次に、点火押切位置から点消火ボタン１５の押し込みを解除すると、図７に示すように、前カム２５は、前コイルバネ７０の付勢により、係止面５２，５２がボックス本体２７のストッパ４１，４１に係止する前方位置に移動する。この前進の際、前カム２５の前側下部には凹部５５が形成されているので、メカボックス２４側の前ピン受け部４３とは干渉しない。
この前カム２５の前進と共に点消火ボタン１５も前進して、フロントパネル７の前面よりも大きく前方へ突出する。このとき前レバーピン４４の後端は、前循環部５６から前直線部５７に移動してその後端に係止している。また、後カム２６は、後コイルバネ７１の付勢により、後レバーピン３９の前端が後循環部６５内を移動してその前側中央に係止することで前進が規制される。なお、後長孔４６の前縁には、後レバーピン３９の前端に軽係止する係止突部４６ａ（図２，６）が形成されて、後レバーピン３９が係止位置から不意に移動することを防止している。
【００２８】
この状態で、流路開閉部２２では、マグネット電磁弁７４は通電によって開弁保持されているので、弁軸７５は移動せず、メイン弁も開弁した状態となって燃料ガスの供給は継続される（燃焼位置）。また、後カム２６の左アーム６１は基板スイッチ２９のレバー２９ａを押し込んだ状態にあって基板スイッチ２９のＯＮを継続させ、右アーム６２はイグナイタスイッチ３０のレバー３０ａから離間してイグナイタスイッチ３０をＯＦＦさせる。
さらに、点消火ボタン１５を回転させれば、前述のように係合スリーブ８２を介して調整リング８４及び連係片８５を回転させてニードル弁７８を軸方向に移動させ、ガス量調整部２３のガス調整流路の開口面積を変更して火力を調整することができる。
【００２９】
そして、燃焼位置から点消火ボタン１５を押し込むと、図８に示すように、前カム２５は後退して、前レバーピン４４の後端が前循環部５６内を移動してその右側前端に係止することで押し込みが規制される（消火押切位置）。この前カム２５の押し込みにより、前側ロッド５１に押圧されて後カム２６も後退し、後レバーピン３９の前端が後循環部６５内を移動してその左側前端に係止する。
このときも前カム２５が後退する際、カム板部５３が、後カム溝６４の逃げ凹部６３の底面上に再び重なって当該底面上を摺接するので、前カム２５の後退がカム板部５３を介して後カム２６の逃げ凹部６３にガイドされ、スムーズに移動できる。
【００３０】
この消火押切位置で点消火ボタン１５から手を離すと、前カム２５は、前コイルバネ７０の付勢により、前レバーピン４４の後端が前循環部５６内を移動してその前側中央に係止する図５の位置に復帰する。後カム２６も、後レバーピン３９の前端が後循環部６５から後直線部６６に移動して仕切板３１に当接する図５の位置に復帰する。この後カム２６の前進により左アーム６１が基板スイッチ２９のレバー２９ａから離間して基板スイッチ２９をＯＦＦさせるため、制御回路基板はマグネット電磁弁７４への通電を停止してマグネット電磁弁７４を閉弁させる。これにより、流路開閉部２２では弁軸７５も前進してメイン弁を閉弁させるため、燃料ガスの供給が停止してバーナは消火する。
こうして前カム２５と後カム２６とが前進する際にも、ガイド突起５８，６７がメカボックス２４の内面を摺動することで前後方向の姿勢が維持されるため、スムーズに前進できる。
【００３１】
このように、上記形態のビルトインコンロ１によれば、プッシュスイッチ機構２０のカム機構部２１において、前カム２５及び後カム２６の外面に、前後方向に沿ったガイド突起５８，６７を複数突設したことで、点消火ボタン１５に斜め方向から押し込み力が加わる等して前後方向に沿った力が前カム２５及び後カム２６に伝わらない場合が生じても、各カム２５，２６がメカボックス２４内でこじれたりすることがない。よって、２つのカム２５，２６を用いたプッシュスイッチ機構２０を備えたものであっても、点消火ボタン１５の押し込み操作がスムーズに行え、良好な使用感を維持できる。
【００３２】
特にここでは、ガイド突起５８，６７を、前カム２５及び後カム２６の外面において、メカボックス２４の内面に対する異なる摺動面（前カム２５では上下面及び左右の側面、後カム２６では上面及び左右の側面）にそれぞれ設けているので、ガイド突起５８，６７によるガイド作用が効果的に得られる。
【００３３】
なお、ガイド突起の数や形状は上記形態に限らず、数を増減したり、形状を変更したりすることは可能である。例えば形状は、上記形態のように前後方向に連続する突条形状とする場合に限らず、前後方向に短いガイド突起を前後方向へ断続的に突設したり、幅広のガイド突起としたりすることが考えられる。
また、ガイド突起はカムの外面に限らず、メカボックス等のケースの内面に設けることもできるし、カムの外面とケースの内面との双方に互いに位置をずらして設けることもできる。
【００３４】
一方、２つのカムの形状や各カム溝の形状は上記形態に限らず、適宜変更可能で、例えば重合部となるカム板部を後カムに設けて前カムに対して摺接させることもできるし、カム溝のない重合部を設けることもできる。前後レバーピンや前後長孔の形状や位置も変更可能である。
また、上記形態では、２つのカムにカム溝を設け、カムを保持するメカボックス側にレバーピンを設けているが、これと逆に、２つのカムにレバーピンをそれぞれ設け、メカボックス側にカム溝を設けても、点消火ボタンの押し操作による２つのカムの前後位置の変更は可能である。
【００３５】
さらに、操作部材も上記形態の点消火ボタンに限らず、大きさや形状は適宜変更できる。また、上記形態では点消火ボタンの回転操作で火力調整を可能としているが、火力調整は操作部材と別途設けた火力調整レバーによって行うようにしても差し支えない。
そして、ビルトインコンロの形態も上記説明に限らず、コンロ部が２口のものやグリル部がないものであってもよいし、ビルトインコンロに限らず、テーブルコンロ等の他のガス調理器具においても本発明は適用可能である。
【符号の説明】
【００３６】
１・・ビルトインコンロ、２・・器体、３・・コンロ部、４・・グリル部、５・・本体、７・・フロントパネル、１０・・コンロバーナ、１５・・点消火ボタン（操作部材）、２０・・プッシュスイッチ機構、２１・・カム機構部、２２・・流路開閉部、２３・・ガス量調整部、２４・・メカボックス（ケース）、２５・・前カム（第１カム）、２６・・後カム（第２カム）、２７・・ボックス本体、２８・・カバー、２９・・基板スイッチ、３０・・イグナイタスイッチ、３１・・仕切板、３９・・後レバーピン、４１・・ストッパ、４４・・前レバーピン、４６・・後長孔、４７・・前長孔、５１・・前側ロッド、５２・・係止面、５３・・カム板部、５４・・前カム溝、５６・・前循環部、５７・・前直線部、５８，６７・・ガイド突起、６０・・後側ロッド、６１・・左アーム、６２・・右アーム、６４・・後カム溝、６５・・後循環部、６６・・後直線部、７０・・前コイルバネ（第１付勢部材）、７１・・後コイルバネ（第２付勢部材）、７４・・マグネット電磁弁、７５・・弁軸、Ｌ・・フロントパネルの前面。
【図１】
2018128240.tif 000003
【図２】
2018128240.tif 000004
【図３】
2018128240.tif 000005
【図４】
2018128240.tif 000006
【図５】
2018128240.tif 000007
【図６】
2018128240.tif 000008
【図７】
2018128240.tif 000009
【図８】
2018128240.tif 000010